(57)【要約】【課題】襟部を良好に留めることができ、且つ髪の毛などの付着を防止して、清潔に使用することができる理容美容用ケープを提供する。【解決手段】この理容美容用ケープは、防水性の前布１と後布２の両側上部間に袖部３が縫着され、前布、後布、袖部の上部中央に、円形開口部７が形成されるとともに、後布の略中央上端部に内側合わせ部４と外側合わせ部５が設けられる。円形開口部７の周縁に縁部を縫着して合わせ部付きの襟部６が形成される。襟部６の外側合わせ部４の内側端部に小鉤１０が取り付けられ、襟部の端部近傍から後布上部にかけて、長尺の梯子テープ２０が取り付けられる。【選択図】図３
2017109044.tif 000002
【特許請求の範囲】
【請求項１】
防水性の前布と後布の両側上部間に袖部が縫着され、該前布、該後布、該袖部の上部中央に、円形開口部が形成されるとともに、該円形開口部の周縁に縁部を折り曲げて縫着した合わせ部付きの襟部が、形成された理容美容用ケープにおいて、
該襟部の該合わせ部の一方の内側端部に小鉤が取り付けられ、該襟部の他方の端部近傍から該後布の上部にかけて、長尺の梯子テープが取り付けられ、該小鉤を該梯子テープの任意の位置に掛け留めして、該襟部の合わせ部を留めることを特徴とする理容美容用ケープ。
【請求項２】
前記襟部の周縁部に沿ってゴムテープが挿通されたことを特徴とする請求項１記載の理容美容用ケープ。
【請求項３】
前記小鉤は、小判状本体が下側に取付基部を突設して合成樹脂により一体成形され、該取付基部の下側にシート状のベース部が固定され、該ベース部が基布上に取着されたことを特徴とする請求項１記載の理容美容用ケープ。
【請求項４】
前記梯子テープは、間隔をあけて配置した２本のテープ状ベース布間に、多数のモノフィラメント糸を掛け渡すように縫い付けて構成されたことを特徴とする請求項１記載の理容美容用ケープ。
【請求項５】
前記梯子テープは、前記襟部から斜め下方に向けて、前記後布に縫着されたことを特徴とする請求項１記載の理容美容用ケープ。
【請求項６】
防水性の前布と後布の上部中央に、円形開口部が形成されるとともに、該後布の略中央上端部に合わせ部が設けられ、該円形開口部の周縁に縁部を折り曲げて縫着した合わせ部付きの襟部が、形成されてなる理容美容用ケープにおいて、
該襟部の該合わせ部の一方の内側端部に小鉤が取り付けられ、該襟部の他方の端部近傍から後布上部にかけて、長尺の梯子テープが取り付けられ、該小鉤を梯子テープの任意の位置に掛け留めして、該襟部の合わせ部を留めることを特徴とする理容美容用ケープ。
【発明の詳細な説明】
【技術分野】
【０００１】
本発明は、美容院や理髪店等において、ヘアカットや洗髪などを行なう際、服の汚れを防ぐために着用する理容美容用ケープに関する。
【背景技術】
【０００２】
ヘアカットや洗髪などを行なう際、服の汚れを防ぐために着用する理容美容用ケープは、一般に、前布と後布からなる布地の上部中央に、首を通すための円形開口部を設けて襟部とし、その襟部の両端、或は後布の中央縦方向に設けた重ね合わせ部を、面ファスナにより留めるように構成されている。また、袖付きのケープでは、袖部が、前布と後布の上部の両側に袖部が縫着される（下記特許文献1を参照）。
【０００３】
ところで、この種の理容美容用ケープは、上記のように、通常、襟部の重ね合わせ部分を留めるために、面ファスナが襟部に設けられており、面ファスナは、通常、フック状に起毛したフック状起毛部と、ループ状に起毛したループ状起毛部とを設けて構成される。
【０００４】
美容院や理髪店において、理容美容用ケープは、ヘアカットや洗髪などを行なう際、顧客に着用させ、首の部分にケープの襟部を装着させ、襟部の両側に設けた、面ファスナのフック状起毛部とループ状起毛部を、押し付けて貼り付かせ、襟部を閉じるように使用される。
【先行技術文献】
【特許文献】
【０００５】
【特許文献１】特開平１１−３１８５６１号公報
【発明の概要】
【発明が解決しようとする課題】
【０００６】
しかしながら、面ファスナのフック状起毛部とループ状起毛部は、その表面に糸くずなどが付着しやすく、特に、髪をカットしたとき、カットした髪の毛が付着しやすい。また、面ファスナを止めて、フック状起毛部とループ状起毛部が重ね合わされた状態であっても、その隙間からカットした髪の毛が襟部の面ファスナの内側に入り、フック状起毛部またはループ状起毛部に付着する。
【０００７】
このため、理容美容用ケープを繰り返し使用すると、頻繁に洗濯をした場合であっても、面ファスナの表面に付着した髪の毛や糸くずは落ちにくくなり、襟部の汚れが目立つようになる。このため、理容美容用ケープを清潔な状態で長く使用したい場合、面ファスナの表面に付いた髪の毛や糸くずを、こまめに取り除く必要があった。
【０００８】
また、面ファスナのフック状起毛部またはループ状起毛部に多くの髪の毛や糸くずが付着すると、面ファスナの吸着力が下がり、面ファスナの付着力が低下する。このため、理容美容用ケープを繰り返し使用すると、面ファスナの付着状態が不安定となり、襟部の留め具合が不完全になりやすい課題があった。
【０００９】
本発明は、上述の課題を解決するものであり、襟部を良好に留めることができ、且つ髪の毛などの付着を防止して、清潔に使用することができる理容美容用ケープを提供することを目的とする。
【課題を解決するための手段】
【００１０】
本発明に係る理容美容用ケープは、防水性の前布と後布の両側上部間に袖部が縫着され、該前布、該後布、該袖部の上部中央に、円形開口部が形成されるとともに、該円形開口部の周縁に縁部を折り曲げて縫着した合わせ部付きの襟部が、形成された理容美容用ケープにおいて、
該襟部の該合わせ部の一方の内側端部に小鉤（鞐）が取り付けられ、該襟部の他方の端部近傍から該後布の上部にかけて、長尺の梯子テープが取り付けられ、該小鉤を該梯子テープの任意の位置に掛け留めして、該襟部の合わせ部を留めることを特徴とする。
【００１１】
この理容美容用ケープによれば、着用者にケープを装着し、その襟部の合わせ部を留める際、小鉤を持って梯子テープに合せ、引っ掛けるように留めれば、襟部の合わせ部を、所望の留め具合と閉じ具合で、簡単に留めることができる。また、梯子テープや小鉤は、髪の毛や糸くずが、面ファスナに比して遥かに付着しにくく、清潔に長期間使用することができる。
【００１２】
ここで、上記襟部には、周縁部に沿ってゴムテープを通して配設することが好ましい。これにより、襟部の端部の小鉤を持って引いたとき、ゴムテープが伸びて襟部の収縮方向にゴム弾性を生じさせることができるので、その状態で、小鉤を梯子テープに掛けとめれば、襟部の合わせ部を、首との間に隙間を作らずにぴったり留めることができ、容易に且つ確実に襟部を留めることができる。
【００１３】
またここで、上記小鉤は、小判状本体がその下側に取付基部を突設して、合成樹脂で一体成形され、該取付基部の下側にシート状のベース部を固定し、該ベース部を基布上に取着して構成することができる。これによれば、基布を襟部の端部に縫着することにより、襟部に小鉤を容易に且つ適正に取り付けることができる。
【００１４】
またここで、上記梯子テープは、間隔をあけて配置した２本のテープ状ベース布間に、多数のモノフィラメント糸を掛け渡すように縫い付けて構成することができる。これによれば、小鉤を梯子テープのモノフィラメント糸に、容易に引っ掛けて留めることができ、使用による劣化が少なく、梯子テープを長期間使用することができる。また、梯子テープは、糸くずや髪の毛の付着が面ファスナに比して遥かに少なく、衛生的に清潔に長期間使用することができる。
【００１５】
また、上記梯子テープは、襟部から斜め下方に向けて傾斜して上記後布に縫着することが好ましい。これによれば、外側合わせ部の小鉤を、一層簡単に梯子テープに留めることができ、襟部を着用者の首の周りに隙間なく且つ緩やかに装着することができる。
【発明の効果】
【００１６】
この発明の理容美容用ケープによれば、襟部を着用者の首部に、良好に留めることができ、髪の毛などの付着を防止して、清潔に使用することができる。
【図面の簡単な説明】
【００１７】
【図１】本発明の一実施形態を示す理容美容用ケープの全体構成図である。
【図２】同理容美容用ケープの正面から見た上部拡大斜視図である。
【図３】合わせ部を外した状態の正面から見た部分斜視図である。
【図４】合わせ部を外した状態の背面から見た部分斜視図である。
【図５】外側合わせ部の内側から見た部分拡大斜視図である。
【図６】内側合わせ部の外側から見た部分拡大斜視図である。
【図７】小鉤を梯子テープに引っ掛けた状態の拡大断面図である。
【図８】（ａ）小鉤の平面図、（ｂ）はその断面図である。
【図９】（ａ）は小鉤を梯子テープに留める際の背面図、（ｂ）は小鉤を梯子テープに留めた状態の背面図である。
【図１０】他の実施形態を示す理容美容用ケープの構成図である。
【図１１】同理容美容用ケープの背面図である。
【図１２】合わせ部を外した状態の背面から見た部分背面斜視図である。
【発明を実施するための形態】
【００１８】
以下、本発明の一実施形態を図面に基づいて説明する。図１は理容美容用ケープの全体構成図を示している。この理容美容用ケープは、撥水性の前布１、後布２、及び袖部３を有し、図２のように、前布１と後布２と袖部３の上部中央に円形開口部７が形成され、円形開口部７の周縁部に、合わせ部５付きの襟部６が形成されて構成される。
【００１９】
理容美容用ケープは、前布１と後布２の上部に袖部３が縫着され、後布２は縦に二分割されて、後ろ開きのケープとされ、後布２に合わせ部５が形成されている。前布１、後布２、袖部３、及び襟部６の布地は、例えばナイロンタフタなどの撥水性を有する布地から形成される。ケープ布地は、ナイロンタフタのほか、撥水性を有するポリエステルタフタ、ポリエステルトリコットの布地から形成することもできる。
【００２０】
撥水性を有するケープ布地の使用により、水などの液体がケープに付着したときの、染込みなどを防止することができる。また、ナイロンタフタやポリエステルタフタには、生地の表面に凹凸を付ける皺加工を施すことができ、皺加工により生地の表面に凹凸を付け、これによって、カットした髪の毛がケープ表面に密着しにくくし、髪の毛を落とし易くすることができる。
【００２１】
また、ケープを洗髪などに使用する場合、前布１、後布２、袖部３、及び襟部６には、防水性布を使用することが好ましい。防水性布には、例えばポリエステルトリコットの表面に薄いポリエチレンフィルムをラミネートしたもの、或いは、ポリエステルトリコットの表面に合成樹脂層をコーティングした布地を使用することができる。
【００２２】
理容美容用ケープは、前布１、後布２、左右の袖部３が、図１に示すように、縫着して構成され、その上端部中央に、図２に示す円形開口部７が形成される。その円形開口部７は、後布２の縦方向の分離によって開口可能であり、後開きの襟部６が上端部中央に形成される。襟部６は、円形開口部７の周縁の縁部を縫着して形成され、襟部６内に細いゴムテープ８が挿通され、襟部６の一方の端部を持って引いたとき、適度な弾性収縮力を生じさせるようになっている。
【００２３】
なお、襟部６のゴムテープ８は、後述の梯子テープ２０を縫着する箇所の襟部は除いて配設され、梯子テープ２０がゴムテープ８により変形しないようになっている。また、襟部６の幅は、例えば１０ｍｍ程度と細く形成され、合わせ部５を合せて留めたとき、襟部６の立ち上がりを抑え、カット鋏の邪魔にならないようにしている。
【００２４】
上記のように、後開きのケープでは、後布２が縦に二分割され、図３，４の如く、襟部６の後部が開口して形成され、そこに合わせ部５が形成される。襟部６の合わせ部５の一方には外側合せ部５ａが形成され、他方の合わせ部５に内側合せ部５ｂが形成される。
【００２５】
外側合せ部５ａと内側合わせ部５ｂとからなる合わせ部５は、内側合わせ部５ｂの外側に外側合せ部５ａを合せるように留められるが、合わせ部５を留めるために、小鉤１０と梯子テープ２０が合わせ部５近傍に縫着され、小鉤１０を梯子テープ２０の任意の位置に引っ掛けて、合わせ部５を留めるように構成される。
【００２６】
すなわち、図３，４に示す如く、合わせ部５には、その開口を合せて留めるために、襟部６の外側合せ部５ａの内側に小鉤１０が縫着され、襟部６の内側合せ部５ｂの外側に梯子テープ２０が縫着される。小鉤１０と梯子テープ２０は、小鉤１０を梯子テープ２０の任意の位置に、容易に引っ掛けて留めることができる構造となっている。
【００２７】
図８に示すように、小鉤１０は小判型の小判状本体１１を有して形成され、小判状本体１１は、下側に取付基部１２を突設して硬質合成樹脂により一体成形される。硬質合成樹脂としては、十分な強度を有しばね状弾性に優れた、例えばポリアセタール樹脂（ＰＯＭ）を使用することができる。図８に示す如く、小判状本体１１は取付基部１２上に、略水平前方に突出すように一体形成され、小判状本体１１の先端には、舌状先端部１１ａが平面から斜め上方に向くようにやや曲げて形成される。これにより、小鉤１０は、小判状本体１１を梯子テープ２０のモノフィラメント糸２２に引っ掛けやすい形状となっている。
【００２８】
小判状本体１１の下側には、図８に示すように、取付基部１２によって空間が形成され、小判状本体１１の下側の空間に、梯子テープ２０のモノフィラメント糸２２が挿入されて、容易に留めることができる。さらに、取付基部１２の下側に、板状のベース部１３が固定される。ベース部１３は小判状本体１１と同様な硬質合成樹脂により成形され、取付基部１２の下側に、熱融着によりまたは接着剤により固着される。
【００２９】
ベース部１３の固着工程では、長方形状の基布１４がベース部１３の上側つまり小判状本体１１とベース部１３との間に取着される。これにより、小鉤１０は、図８に示す如く、ベース部１３の上に基布１４が取着され、取付基部１２が基布１４を貫通し、ベース部１３上に、取付基部１２を介して小判状本体１１が水平に固定される。
【００３０】
このような構成の小鉤１０は、図５に示すように、襟部６の合わせ部５の外側合わせ部５ａの内側に、その基布１４を縫い付けて縫着される。この縫着は、小鉤１０の基布１４を、襟部６の外側合わせ部５ａの内側に縫い合わせて行われ、これにより、小鉤１０のベース部１３が襟部６または後布２と基布１４間に挟まれ、容易に脱落しない状態で、確実に取着される。
【００３１】
梯子テープ２０は、図６、７に示すように、２本のテープ状ベース布２１を、適当な間隔をおいて平行に配置し、１対のテープ状ベース布２１間に、モノフィラメント糸２２を掛け渡すように、縫着して構成される。テープ状ベース布２１は、比較的太い合成繊維糸を、帯状に編んで形成され、これにより、モノフィラメント糸２２をテープ状ベース布２１に対し、容易に編み込むことができる構成となっている。
【００３２】
モノフィラメント糸２２には、例えばナイロン、ポリエチレンテレフタレートなどの単繊維糸を使用することが好ましい。このようなモノフィラメント糸２２は、適度な剛性を有する太さをもち、両側のテープ状ベース布２１間に、円弧を描いて掛け渡すように、１本または２本の糸が長尺のベース布間を往復して縫い付けられる。１対のテープ状ベース布２１の間隔、つまりモノフィラメント糸２２の掛け渡し長さは、小鉤１０の小判状本体１１の幅の約１.５倍程度に形成され、小鉤１０を梯子テープ２０のモノフィラメント糸２２に容易に引っ掛けることができるようになっている。
【００３３】
このような梯子テープ２０は、図６に示すように、後布２の合わせ部５における、内側合わせ部５ｂの外面において、両側のテープ状ベース布２１が、襟部６の下部から斜め下方に向けて傾斜して、後布２の外側面に縫着される。後布２に縫着された梯子テープ２０のモノフィラメント糸２２は、後布２上に僅かに浮いた状態で配設され、容易に小鉤１０を引っ掛け得る状態となる。
【００３４】
梯子テープ２０のモノフィラメント糸２２は、それ自体が糸くずや髪の毛の付着しにくい単繊維糸であり、連続する１本或いは２本の単繊維糸が連続してテープ状ベース布２１間に織り込まれているため、糸の端部は表面に現れず、糸くずや髪の毛が非常に付着しにくい。このように、梯子テープ２０のモノフィラメント糸２２は、テープ状ベース布２１の間を掛け渡すように連続して編み込まれ、面ファスナのように糸の端部やループが現れないため、糸くずや髪の毛が付着しにくい形態となっている。
【００３５】
上記構成の理容美容用ケープは、美容院や理髪店等で、ヘアカットなどの際に使用される。着用の際には、後布２の合わせ部５を、開いた状態で、着用者の腕を袖部３に通して着用し、その後、襟部６を着用者の首の周りに沿わせ、図９のように、襟部６の合わせ部５における、小鉤１０付きの外側合わせ部５ａを持って、他方の内側合わせ部５ｂの上に重ね合わせるようにする。
【００３６】
このとき、外側合わせ部５ａを持って少し斜め下方に引くようにし、その状態で、小鉤１０の小判状本体１１を、梯子テープ２０の任意の位置に引っ掛ける。これにより、図９に示す如く、小鉤１０の小判状本体１１が梯子テープ２０のモノフィラメント糸２２に引っ掛けられる。
【００３７】
このとき、使用者は小鉤１０を斜め下方に少し引いて、着用者の肩に近い後布２の上部に位置する梯子テープ２０に、外側合わせ部５ａ内側の小鉤１０を引っ掛けるので、非常に簡単に小鉤１０を掛けることができる。また、このとき、襟部６に入れたゴムテープ８の作用により、小鉤１０が襟部６を開く側に弱く引かれて付勢されるので、小鉤１０は長尺の梯子テープ２０における任意の位置に、簡単に係止され、保持されることとなる。
【００３８】
このような襟部６の合わせ部５における、梯子テープ２０への小鉤１０の引っ掛けにより、図９（ｂ）に示すごとく、ケープの襟部６は、着用者の首部に隙間なくぴったりと装着される。また、小鉤１０は、小判状本体１１を有し、小判状本体１１は、長尺の梯子テープ２０上における何れの箇所のモノフィラメント糸２２でも、簡単に引っ掛けることができるため、襟部６と着用者の首部の装着状態に合せて襟部６の合わせ部５を簡単に留めることができる。
【００３９】
また、理容師や美容師が着用者の髪をカットする際、図９（ｂ）に示すように、襟部６は、細く立ち上がり部分を生じずに、着用者の首部にぴったり装着されるので、カットハサミが襟部６に当たることがなく、理容師や美容師は襟部６を気にすることなく、髪のカットを良好に行うことができる。
【００４０】
襟部６の合わせ部５を外す場合、小鉤１０付きの外側合わせ部５ａを持って、斜め方向に少し引けば、襟部６は少し伸びるので、小鉤１０の小判状本体１１が梯子テープ２０のモノフィラメント糸２２から外れ、襟部６の合わせ部５を容易に外すことができる。
【００４１】
このように、上記構成の理容美容用ケープは、その襟部６の合わせ部５を留める際、小鉤１０を持って梯子テープ２０の任意の位置に合せ、引っ掛けるように留めれば、襟部６の合わせ部５を、所望の留め具合と閉じ具合で、簡単に留めることができる。また、小鉤１０に髪の毛や糸くずが付着しないことは勿論のこと、梯子テープ２０にも髪の毛や糸くずは付着しにくく、面ファスナを用いたものに比して、遥かに清潔に長期間使用することができる。
【００４２】
図１０〜図１２は、他の実施形態の理容美容用ケープを示している。この理容美容用ケープは、図１０に示すように、袖なしタイプのケープであり、前布３１と後布３２、３３から構成される。撥水性または防水性の前布３１と後布３２、３３の上部中央に、円形開口部３７が形成され、円形開口部３７の周縁に、テープ状の布地を被覆した、合わせ部付きの襟部３６が形成される。襟部３６には、上記と同様、細いゴムテープ３８が挿入される。
【００４３】
図１１に示すように、前布３１と後布３２、３３は上部で連続し、後布３２、３３は円形開口部３７から縦に二分割されて、後ろ開きのケープとされ、後布３２、３３の襟部３６近傍に、合わせ部３５が形成される。図１２に示すように、襟部近傍の合わせ部３５の一方には、外側合わせ部３５ａが形成され、他方の合わせ部３５に内側合わせ部３５ｂが形成される。
【００４４】
外側合せ部３５ａと内側合わせ部３５ｂとからなる合わせ部３５は、内側合わせ部３５ｂの外側に外側合せ部３５ａを合せるように留められる。合わせ部３５を留めるために、上記と同様、図６〜８に示す小鉤１０と梯子テープ２０が縫着され、小鉤１０を梯子テープ２０の任意の位置に引っ掛けて留めるように構成される。
【００４５】
図１２に示すように、合わせ部３５には、その開口を合せて留めるために、襟部３６の外側合わせ部３５ａの内側に小鉤１０が縫着され、襟部３６の内側合わせ部３５ｂの外側に、長尺の梯子テープ２０が縫着される。小鉤１０は、長尺の梯子テープ２０における任意の位置に、簡単に引っ掛けて留めることができる。
【００４６】
小鉤１０は、上記と同様、小判型の小判状本体１１を有して形成され、小判状本体１１は、下側に取付基部１２を突設して硬質合成樹脂により一体成形される。小判状本体１１は取付基部１２上に、略水平前方に突出すように一体形成され、小判状本体１１の先端には、舌状先端部１１ａが平面から斜め上方に向くようにやや曲げて形成され、小判状本体１１を梯子テープ２０のモノフィラメント糸２２に引っ掛けやすくしている。小鉤１０は、襟部３６の外側合せ部３５ａの内側に縫着される。
【００４７】
梯子テープ２０は、上記と同様、図６、７に示すように、２本のテープ状ベース布２１を、適当な間隔をおいて平行に配置し、１対のテープ状ベース布２１間に、モノフィラメント糸２２を掛け渡すように、編み込んで構成される。このような梯子テープ２０は、図１２に示すように、後布３２の合わせ部３５における、内側合わせ部３５ｂの外面に、襟部３６から斜め下方に向けて傾斜するように、両側のテープ状ベース布２１が、後布３２の外側面に縫着される。
【００４８】
上記構成の理容美容用ケープは、使用時、着用者に装着し、襟部３６の合わせ部３５における、小鉤１０付きの外側合わせ部３５ａを持って、他方の内側合わせ部３５ｂの上に重ね合わせるようにし、外側合わせ部３５ａを持って少し斜め下方に引くようにし、小鉤１０の小判状本体１１を、梯子テープ２０の任意の位置に引っ掛ける。
【００４９】
このとき、小鉤１０の小判状本体１１が梯子テープ２０のモノフィラメント糸２２に引っ掛けられ、また、襟部６に入れたゴムテープ８の作用により、小鉤１０が襟部６を開く側に弱く引かれて付勢され、これにより、小鉤１０は長尺の梯子テープ２０における任意の位置に、簡単に係止され、保持される。
【符号の説明】
【００５０】
１      前布
２      後布
３      袖部
５      合わせ部
５ａ    外側合わせ部
５ｂ    内側合わせ部
６      襟部
７      円形開口部
８      ゴムテープ
１０    小鉤
１１    小判状本体
１１ａ  舌状先端部
１２    取付基部
１３    ベース部
１４    基布
２０    梯子テープ
２１    テープ状ベース布
２２    モノフィラメント糸
３１    前布
３２    後布
３５    合わせ部
３５ａ  外側合わせ部
３５ｂ  内側合わせ部
３６    襟部
３７    円形開口部
３８    ゴムテープ
【図１】
2017109044.tif 000003
【図２】
2017109044.tif 000004
【図３】
2017109044.tif 000005
【図４】
2017109044.tif 000006
【図５】
2017109044.tif 000007
【図６】
2017109044.tif 000008
【図７】
2017109044.tif 000009
【図８】
2017109044.tif 000010
【図９】
2017109044.tif 000011
【図１０】
2017109044.tif 000012
【図１１】
2017109044.tif 000013
【図１２】
2017109044.tif 000014